(57)【特許請求の範囲】
【請求項１】
取付面に形成された埋込穴に取り付けられる枠体部と、
前記取付面に対する姿勢が変化するように回動可能に前記枠体部に支持された灯体部とを備え、
前記灯体部は、開口を有する凹部が設けられた器具本体と、前記器具本体の凹部の内部に配置された光源とを有し、
前記器具本体は、当該器具本体の前記開口側とは反対側の一端部から前記光源の光軸から離れる方向に突出する突出部を有し、
前記突出部の突出方向の端部の上部には、切り欠き状の第１傾斜部が形成されており、
前記灯体部は、前記器具本体の開口を囲むように前記器具本体の下方側に配置された筒体を有し、
前記筒体の前記枠体部側の端部には、切り欠き状の第２傾斜部が形成されている
照明装置。
【請求項２】
前記第１傾斜部及び前記第２傾斜部の各々は、前記取付面に対して傾斜する傾斜面を有し、
前記第１傾斜部の前記傾斜面の傾斜角と前記第２傾斜部の前記傾斜面の傾斜角とは略同じである
請求項１に記載の照明装置。
【請求項３】
取付面に形成された埋込穴に取り付けられる枠体部と、
前記取付面に対する姿勢が変化するように回動可能に前記枠体部に支持された灯体部とを備え、
前記灯体部は、開口を有する凹部が設けられた器具本体と、前記器具本体の凹部の内部に配置された光源とを有し、
前記器具本体は、当該器具本体の前記開口側とは反対側の一端部から前記光源の光軸から離れる方向に突出する突出部を有し、
前記突出部の突出方向の端部の上部には、切り欠き状の第１傾斜部が形成されており、
さらに、
前記光源に電力を供給する電源装置と、
一端が前記光源と電気的に接続され、他端が前記電源装置と電気的に接続された電源ケーブルとを備え、
前記灯体部は、前記取付面に垂直な方向を回転軸として回転可能に構成され、
前記突出部は、断面視において前記開口からはみ出す位置まで突出し、
前記電源ケーブルは、前記突出部の突出方向の先端部から引き出されている
照明装置。
【請求項４】
前記電源ケーブルは、前記突出部の突出方向の前記先端部から下方に向けて引き出されている
請求項３に記載の照明装置。
【請求項５】
さらに、前記枠体部の側部に設けられた複数の取付バネを備え、
前記枠体部は、前記灯体部の回転を停止させるためのストッパ構造を有し、
前記電源ケーブルは、前記ストッパ構造によって前記灯体部の回転が停止した状態において、前記複数の取付バネのうちの前記ストッパ構造から回転方向に沿って９０°から１８０°の範囲に存在する取付バネに保持されている
請求項３又は４に記載の照明装置。
【発明の詳細な説明】
【技術分野】
【０００１】
本発明は、照明装置に関する。
【背景技術】
【０００２】
従来、住宅等の建物に埋め込み配設された埋込型の照明装置が知られている。埋込型の照明装置としては、例えば、天井等の造営材に埋込配設されて下方に光を照射するダウンライトが知られている。ダウンライトは、天井面等の取付面に形成された埋込穴に取り付けられる。
【０００３】
ダウンライトとして、光の照射方向を変更するために灯体部を首振りさせることができる照明器具が知られている（例えば特許文献１）。特許文献１に開示された照明器具では、首振り軸を取付面に沿う方向に移動させることによって灯体部を首振りさせたときにも灯体部の光軸が本体部と重ならないようにすることで、灯体部の首振り角度に応じて変化する光照射範囲を広くしている。
【先行技術文献】
【特許文献】
【０００４】
【特許文献１】特開２００８−４７４４８号公報
【発明の概要】
【発明が解決しようとする課題】
【０００５】
照明装置において、灯体部は、例えば、光源と、光源が配置される器具本体とを有する。器具本体は、光源で発生する熱を放熱させるための放熱部材（ヒートシンク）としても機能するため、包絡体積を大きくすることが望まれる。特に、光源としてＬＥＤ（Ｌｉｇｈｔ  Ｅｍｉｔｔｉｎｇ  Ｄｉｏｄｅ）が用いられた場合、ＬＥＤでは、ＬＥＤ自身の発熱によって温度が上昇して光出力が低下するとともに寿命が短くなる。このため、ＬＥＤを光源とする照明装置では、包絡体積を稼いで放熱性を向上させるために、器具本体の高さをできるだけ高くすることが望まれる。
【０００６】
しかしながら、天井に埋込配設される照明装置では、天井裏での高さ制限等があるため、器具本体の高さを高くするには限界がある。
【０００７】
また、包絡体積を稼ぐために器具本体を大きくすると、灯体部を首振り（揺動）させることのできる照明装置では、器具本体を大きくした場合にその形状によっては重量バランスを欠き、天井の振動等によって照明装置が埋込穴から外れてしまうおそれがある。
【０００８】
本発明は、このような課題を解決するために、高さを抑えつつも放熱性を向上させることができる器具本体を有し、かつ、重量バランスよく首振りを可能とする灯体部を備える照明装置を提供することを目的とする。
【課題を解決するための手段】
【０００９】
上記目的を達成するために、本発明に係る照明装置の一態様は、取付面に形成された埋込穴に取り付けられる枠体部と、前記取付面に対する姿勢が変化するように回動可能に前記枠体部に支持された灯体部とを備え、前記灯体部は、開口を有する凹部が設けられた器具本体と、前記器具本体の凹部の内部に配置された光源とを有し、前記器具本体は、当該器具本体の前記開口側とは反対側の一端部から前記光源の光軸から離れる方向に突出する突出部を有し、前記突出部の突出方向の端部の上部には、切り欠き状の第１傾斜部が形成されている。
【発明の効果】
【００１０】
本発明によれば、高さを抑えつつも放熱性を向上させることができる器具本体を有し、かつ、重量バランスよく首振りを可能とする灯体部を備える照明装置を実現できる。
【図面の簡単な説明】
【００１１】
【図１】実施の形態に係る照明装置の外観図である。
【図２】実施の形態に係る照明装置を天井に取り付けたときの状態を示す断面図である。
【図３】実施の形態に係る照明装置において、灯体部の姿勢を変化させたときの状態を示す断面図である。
【図４】実施の形態に係る照明装置の部分拡大断面斜視図である。
【図５】実施の形態に係る照明装置の上面図である。
【発明を実施するための形態】
【００１２】
以下、本発明の実施の形態について、図面を参照しながら説明する。なお、以下に説明する実施の形態は、いずれも本発明の好ましい一具体例を示す。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されてはいない。したがって、例えば、各図において縮尺等は必ずしも一致しない。また、各図において、実質的に同一の構成に対しては同一の符号を付しており、重複する説明は省略又は簡略化する。本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、かつ、いずれもＺ軸に直交する軸である。なお、Ｚ軸方向のプラス方向を鉛直下方としている。
【００１４】
（実施の形態）
図１〜図３を用いて、実施の形態に係る照明装置１の構成について説明する。図１は、実施の形態に係る照明装置１の外観図である。図２は、同照明装置１を天井２に取り付けたときの状態を示す断面図である。図３は、同照明装置１において、灯体部１００の姿勢を変化させたときの状態を示す断面図である。
【００１５】
図１に示すように、照明装置１は、灯体部１００と、枠体部２００と、電源装置３００と、電源ケーブル４００と、取付バネ５００とを備える。
【００１６】
照明装置１は、例えば住宅等の建物における天井等の被取付部に埋め込み配設されることにより下方（床や地面、壁等）に光を照射するダウンライト等の埋込型の照明器具である。図２に示すように、本実施の形態において、照明装置１は、天井２の天井面２ａ（取付面）に形成された埋込穴２ｂ（取付孔）に埋め込み配設されている。具体的には、照明装置１の枠体部２００が天井面２ａの埋込穴２ｂに取り付けられている。照明装置１が埋込穴２ｂに取り付けられた状態において、枠体部２００の下側の開口面は、天井面２ａと略平行になっている。
【００１７】
灯体部１００は、天井面２ａに対する姿勢が変化するように回動可能に枠体部２００に支持されている。灯体部１００の天井面２ａに対する姿勢が変化することで照明装置１の光の照射方向が変化する。つまり、灯体部１００は、照明装置１の光の照射方向を変更するために回動（首振り）可能に枠体部２００に支持されている。
【００１８】
本実施の形態において、灯体部１００は、枠体部２００の開口面に平行な方向（本実施の形態では、水平方向）を回動軸として回動可能となっている。これにより、灯体部１００の天井面２ａに対する姿勢が変化する。具体的には、図１〜図３に示すように、灯体部１００は、軸Ｊ１を回動軸（揺動軸）として回転方向Ｒ１の方向（左右方向）に揺動するように回動可能に構成されている。図３に示すように、灯体部１００が回動（揺動）できる最大可動角度αＭＡＸは、一例として、３０°であるが、これに限らない。照明装置１では、最大可動角度αＭＡＸの範囲内の所望の角度（首振り角）で灯体部１００を保持することができ、灯体部１００の首振り角を変化させることによって光の照射方向を変えることができる。
【００１９】
さらに、灯体部１００は、天井面２ａに対する姿勢を変化できるだけではなく、天井面２ａに垂直な方向（本実施の形態では、鉛直方向）を回転軸として回転自在となっている。つまり、灯体部１００は、天井面２ａに平行な面内で水平回転することができる。具体的には、図１に示すように、灯体部１００は、光源１２０の光軸上にある軸Ｊ２を回転軸として回転方向Ｒ２の方向に回転可能に構成されている。灯体部１００の回転方向Ｒ２の方向の最大可動角度は、一例として、約３５５°である。
【００２０】
このように、灯体部１００は、軸Ｊ１及び軸Ｊ２の２軸回りに回動自在及び回転自在であり、灯体部１００を回動及び回転させることで灯体部１００から出射する光の進行方向を変更することができる。
【００２１】
図２及び図３に示すように、灯体部１００は、器具本体１１０と、光源１２０と、筒体１３０と、反射体１４０と、透光カバー１５０とを有する。灯体部１００では、光源１２０から出射した光が、反射体１４０で反射して透光カバー１５０を透過し、筒体１３０及び枠体部２００を通過して、照明装置１の照明光として外部に放射される。
【００２２】
枠体部２００は、外枠体２１０と、内枠体２２０とを有する。内枠体２２０は、第１内枠２２１と第２内枠２２２とによって構成されている。
【００２３】
以下、本実施の形態に係る照明装置１の各構成部材について詳細に説明する。
【００２４】
［器具本体］
図２及び図３に示すように、器具本体１１０は、光源１２０が取り付けられる基台である。器具本体１１０は、光源１２０で発生する熱を放熱するヒートシンクとしても機能する。したがって、器具本体１１０は、アルミニウム等の金属材料又は高熱伝導樹脂等の熱伝導率の高い材料によって作製されているとよい。本実施の形態において、器具本体１１０の全体が一体物であり、例えばアルミダイカスト製である。
【００２５】
器具本体１１０には、開口１１０ａを有する凹部が設けられている。器具本体１１０の凹部内には、光源１２０、反射体１４０及び透光カバー１５０が配置される。
【００２６】
器具本体１１０は、当該器具本体１１０の開口１１０ａ側とは反対側の一端部から光源１２０の光軸から離れる方向に突出する突出部１１１を有する。突出部１１１は、器具本体１１０の凹部が設けられた本体部分から張り出すように形成された張り出し部である。本実施の形態において、突出部１１１は、光源１２０の光軸と直交する方向に突出している。つまり、突出部１１１の突出方向は、光源１２０の光軸と直交する方向である。
【００２７】
突出部１１１は、軸Ｊ２を含む面での断面視において器具本体１１０の開口１１０ａからはみ出す位置まで突出している。つまり、突出部１１１の先端は、器具本体１１０の開口１１０ａの外側に位置している。本実施の形態において、突出部１１１は、断面視において枠体部２００の開口からはみ出す位置まで突出している。器具本体１１０を開口１１０ａの方向から見たとき、突出部１１１の先端が開口１１０ａに遮られることなく見える。
【００２８】
突出部１１１の突出方向の端部の上部には、切り欠き状の第１傾斜部１１１ａが形成されている。つまり、第１傾斜部１１１ａは、突出部１１１における光源１２０から遠い位置（つまり、突出部１１１の先端部）のうちの上部分に形成されている。第１傾斜部１１１ａは、天井面２ａに対して傾斜する傾斜面を有する。第１傾斜部１１１ａの傾斜面の傾斜角θ１（傾斜面と天井面２ａとのなす角）は、一例として、３０°であるが、これに限らない。
【００２９】
また、器具本体１１０には、複数の放熱フィンが設けられている。複数の放熱フィンの各々は、平板状であり、器具本体１１０の凹部の反対側の部分の表面に立設されている。放熱フィンを設けることによって、光源１２０で発生する熱を効率良く放熱させることができる。
【００３０】
本実施の形態では、突出部１１１にも複数の放熱フィンが立設されている。突出部１１１の第１傾斜部１１１ａは、突出部１１１の放熱フィンに設けられている。つまり、突出部１１１の複数の放熱フィンの各々は、当該放熱フィンの端部がカットされたような切り欠き状をなすように形成されている。具体的には、突出部１１１の各放熱フィンは、矩形板状の１つの角部が斜めにカットされたような形状となっている。なお、突出部１１１の複数の放熱フィンは、互いに平行となるように立設されている。
【００３１】
［光源］
図２及び図３に示すように、光源１２０は、器具本体１１０の凹部の内部に配置されている。具体的には、光源１２０は、器具本体１１０の凹部の底部に配置される。
【００３２】
光源１２０は、ＬＥＤを有するＬＥＤ光源（ＬＥＤモジュール）である。光源１２０は、例えば白色光を放出する白色ＬＥＤ光源である。一例として、光源部１１は、ＣＯＢ（Ｃｈｉｐ  Ｏｎ  Ｂｏａｒｄ）構造であり、基板と、基板に実装されたＬＥＤと、ＬＥＤを封止する封止部材とを有する。
【００３３】
基板は、ＬＥＤを実装するための実装基板であって、例えば、セラミックス基板、樹脂基板又はメタルベース基板等である。なお、基板には、ＬＥＤを発光させるための直流電力を外部から受電するための一対の電極端子と、ＬＥＤに電力を供給するための金属配線とが設けられている。電極端子は、電源ケーブル４００によって電源装置（不図示）と電気的に接続される。
【００３４】
ＬＥＤは、発光素子の一例であり、例えば、単色の可視光を発するベアチップである。具体的には、ＬＥＤは、通電されれば青色光を発する青色ＬＥＤチップである。ＬＥＤは、例えば基板にマトリクス状に複数個配置されており、基板に形成された金属配線によって互いに電気的に接続されている。なお、ＬＥＤは、少なくとも１つ配置されていればよい。
【００３５】
封止部材は、例えば透光性樹脂である。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色ＬＥＤチップである場合、白色光を得るために、例えばＹＡＧ系の黄色蛍光体を用いることができる。本実施の形態において、封止部材は、全てのＬＥＤを一括封止するように円形状に形成されているが、複数のＬＥＤを列ごとにライン状に封止してもよいし、各ＬＥＤを１つずつ個別に封止してもよい。
【００３６】
このように、本実施の形態における光源１２０は、青色ＬＥＤチップと黄色蛍光体とによって構成されたＢ−Ｙタイプの白色ＬＥＤ光源である。黄色蛍光体は、青色ＬＥＤチップが発した青色光の一部を吸収して励起されて黄色光を放出する。そして、この黄色光と黄色蛍光体に吸収されなかった青色光とが混ざって白色光となって光源１２０から放出する。
【００３７】
このように構成される光源１２０は、ホルダ等の取付部材、ねじ又は接着部材等によって器具本体１１０に取り付けられる。これにより、光源１２０は、器具本体１１０の所定の位置に固定される。
【００３８】
［筒体］
図２及び図３に示すように、筒体１３０は、下方側（光源１２０から遠い側）の第１開口部と上方側（光源１２０に近い側）の第２開口部とを有する略円筒形状であり、器具本体１１０の開口１１０ａを囲むように器具本体１１０の下方側に配置されている。筒体１３０の上方側の第２開口部の開口径と器具本体１１０の開口１１０ａの開口径とはほぼ同じである。筒体１３０を軸Ｊ２方向から見たとき、筒体１３０の上方側の第２開口部の開口径と器具本体１１０の開口１１０ａの開口径とはほぼ同じである。
【００３９】
筒体１３０は、器具本体１１０に取り付けられている。具体的には、筒体１３０の上方側の端部と、器具本体１１０の凹部の開口１１０ａを構成する開口端部とが固定されている。
【００４０】
一方、筒体１３０は、図１に示すように、枠体部２００に対しては２本の取付ねじ７００によって回動可能に取り付けられている。具体的には、照明装置１は、灯体部１００を回動させるための回動機構として、筒体１３０の下方側の端部の対向する位置に設けられた一対の貫通孔と、内枠体２２０（第１内枠２２１）の上方側の端部の対向する位置に設けられた一対の貫通孔と、筒体１３０の貫通孔及び内枠体２２０の貫通孔に連通して挿入された２本の取付ねじ７００とを有する。つまり、筒体１３０は、取付ねじ７００のねじ軸回りに回動可能に内枠体２２０（第１内枠２２１）に支持されており、筒体１３０は、２本の取付ねじ７００同士を結ぶ線を回動軸（軸Ｊ１）として回動可能となっている。これにより、筒体１３０を有する灯体部１００は、軸Ｊ１を回動軸として回動する。
【００４１】
また、筒体１３０の下方側の第１開口部の端部には、切り欠き状の第２傾斜部１３０ａが形成されている。第２傾斜部１３０ａは、筒体１３０の下方側の第１開口部（円筒部）の一部が斜めにカットされたような形状となっている。
【００４２】
第２傾斜部１３０ａは、天井面２ａに対して傾斜する傾斜面を有する。第２傾斜部１３０ａの傾斜面の傾斜角θ２（傾斜面と天井面２ａとのなす角）は、例えば３０°であるが、これに限らない。本実施の形態において、第２傾斜部１３０ａの傾斜面の傾斜角θ２は、器具本体１１０の突出部１１１の第１傾斜部１１１ａの傾斜面の傾斜角θ１と略同じである。第２傾斜部１３０ａの傾斜面と器具本体１１０の第１傾斜部１１１ａの傾斜面は、略平行である。
【００４３】
［反射体］
図２及び図３に示すように、反射体１４０は、光源１２０から出射した光を反射させる。具体的には、反射体１４０は、内面が光源１２０からの光を反射させる反射面となっており、光源１２０から出射した光を所望の方向に向くように制御している。本実施の形態において、反射体１４０は、光源１２０から出射した光が透光カバー１５０に入射するように配光制御している。一例として、反射体１４０は、内面形状が漏斗状の円筒形状であり、内径が光入射側（光源側）の開口部から光出射側の開口部に向かって漸次大きくなるように構成されている。
【００４４】
反射体１４０は、例えば樹脂材料又は金属材料によって形成することができる。本実施の形態において、反射体１４０は、ＰＢＴ（ポリブチレンテレフタレート）等の樹脂材料を用いた作製された白色の樹脂成型品である。このように構成される反射体１４０は、例えば器具本体１１０に固定される。
【００４５】
［透光カバー］
図２及び図３に示すように、透光カバー１５０は、光源１２０の光出射側に配置される。透光カバー１５０は、光源１２０を覆うように配置されている。透光カバー１５０を設けることで光源１２０を保護することができる。なお、本実施の形態において、透光カバー１５０は、反射体１４０も覆っている。
【００４６】
透光カバー１５０は、レンズ機能を有していてもよい。例えば、透光カバー１５０に集束機能を持たせることで光源１２０からの光を集光することができ、狭配光角の照明光（スポット光）を実現できる。また、透光カバー１５０に発散機能を持たせることで、光源１２０からの光を拡大することができ、広配光角の照明光を実現できる。
【００４７】
透光カバー１５０は、透光性部材からなる光学部品であり、例えばアクリル（ＰＭＭＡ）又はポリカーボネート（ＰＣ）等の透明樹脂材料又はガラス材料等の透光性材料によって構成される。
【００４８】
また、透光カバー１５０は、光拡散性（光散乱性）を有していてもよい。例えば、透光カバー１５０の表面（内面又は外面）にシボ加工処理等によって微小凹凸を形成したり、透光カバー１５０の表面にドットパターンを印刷したり、透光カバー１５０の表面に光拡散材等を含む乳白色の光拡散膜を形成したりすることで、透光カバー１５０に光拡散性を持たせることができる。なお、透光性樹脂材料に光反射微粒子等の光拡散材を分散させて透光カバー１５０を作製することでも、透光カバー１５０に光拡散性を持たせることができる。透光カバー１５０に光拡散性を持たせることで、指向性の強いＬＥＤからの光を散乱させることができるので、複数のＬＥＤの発光によるつぶつぶ感（輝度むら）を抑制できる。
【００４９】
［外枠体］
図２及び図３に示すように、外枠体２１０は、内枠体２２０を囲むように枠状に構成されている。本実施の形態において、外枠体２１０は、鉛直下方側の第１開口部と鉛直上方側の第２開口部とを有する略円筒形状である。
【００５０】
外枠体２１０は、例えば、アルミニウム等の金属材料で形成することができる。本実施の形態において、外枠体２１０は、アルミダイカスト製である。なお、外枠体２１０の材質は、金属材料に限らなく、樹脂材料であってもよい。
【００５１】
外枠体２１０の鉛直下方側の第１開口部にはフランジ状の鍔部が形成されている。照明装置１は、天井２に設けられた埋込穴２ｂに外枠体２１０を埋め込むことで天井２に取り付けられる。このとき、外枠体２１０の鍔部を天井の下面に当接させて外枠体２１０の外面に設けられた３つの取付バネ５００によって埋込穴２ｂの内側面を押圧することで、照明装置１が埋込穴２ｂに保持される。
【００５２】
外枠体２１０は、内枠体２２０に保持されている。具体的には、図４に示すように、外枠体２１０に固定された取付バネ５００の他方の端部で内枠体２２０を付勢することで、外枠体２１０が内枠体２２０に保持されている。図４は、実施の形態に係る照明装置１の部分拡大断面斜視図であり、取付ねじ７００及び取付バネ５００を通る面で切断したときの断面を示している。
【００５３】
［内枠体］
図２及び図３に示すように、内枠体２２０は、上方側に位置する第１内枠２２１と、下方側に位置する第２内枠２２２とによって構成されている。第１内枠２２１及び第２内枠２２２は、いずれも鉛直下方側（光源１２０から遠い側）の第１開口部と鉛直上方側（光源１２０に近い側）の第２開口部とを有する略円筒形状である。
【００５４】
第１内枠２２１及び第２内枠２２２は、例えば、アルミニウム等の金属材料で形成することができる。なお、第１内枠２２１及び第２内枠２２２の材質は、金属材料に限らなく、樹脂材料であってもよい。
【００５５】
内枠体２２０を構成する第１内枠２２１と第２内枠２２２とは円環状の連結部材２３０によって連結されている。具体的には、連結部材２３０は、外方に開口しかつ周方向に形成された凹部を有しており、第１内枠２２１の下方側の端縁の折り曲げ部分と第２内枠２２２の上方側の端縁の折り曲げ部分とが連結部材２３０の凹部に嵌め込まれることで第１内枠２２１と第２内枠２２２とが連結部材２３０によって連結されている。
【００５６】
第１内枠２２１及び第２内枠２２２は、連結部材２３０によって一体的に連結されているため、内枠体２２０は外枠体２１０に対して回転するように構成されている。
【００５７】
内枠体２２０は、軸Ｊ２を回転軸として外枠体２１０に対して摺動により回転する摺動枠体である。具体的には、図４に示すように、外枠体２１０に取り付けられた取付バネ５００が、第１内枠２２１の外面にに弾性的付勢により接触している。そのため、内枠体２２０は、外枠体２１０に対して摺動により回転する。
【００５８】
外枠体２１０に対して、第１内枠２２１（内枠体２２０）が軸Ｊ２を回転軸として回転することで、第１内枠２２１に固定された筒体１３０も軸Ｊ２を回転軸として回転する。つまり、第１内枠２２１（内枠体２２０）と筒体１３０とは一体となって連動して回転する。また、筒体１３０は器具本体１１０に固定されているので、第１内枠２２１（内枠体２２０）の回転に連動して器具本体１１０も回転する。したがって、外枠体２１０に対して、第１内枠２２１が回転することで灯体部１００が回転する。言い換えると、軸Ｊ２を回転軸として灯体部１００を水平回転させたときに、灯体部１００の水平回転に連動して第１内枠２２１（内枠体２２０）も水平回転する。
【００５９】
このとき、枠体部２００は、軸Ｊ２を回転軸とする灯体部１００の回転を停止させるためのストッパ構造を有している。したがって、灯体部１００は、ストッパ構造を基準に一定の範囲内で可動する。
【００６０】
具体的には、枠体部２００は、ストッパ構造として、第１内枠２２１に設けられた突起部２２１ａと、外枠体２１０に設けられた段差部２１０ａとを有する。突起部２２１ａは、第１内枠２２１の外面から突出するように設けられている。段差部２１０ａは、外枠体２１０の一部を切り欠いたような形状である。灯体部１００を水平回転させたときに、第１内枠２２１の突起部２２１ａが外枠体２１０の段差部２１０ａに当接することで、灯体部１００の回転が停止する。
【００６１】
灯体部１００の可動範囲は、水平回転の全周のうち段差部２１０ａの周方向の長さを除外した範囲であって、例えば、０°〜約３５５°である。つまり、灯体部１００は、図５に示すように、ストッパ構造（突起部２２１ａ、段差部２１０ａ）の位置を基準（０°）としたときに、回転方向Ｒ２の方向に、０°〜約３５５°の範囲内で回転させることができる。なお、図５は、実施の形態に係る照明装置１の上面図であり、図５では、突起部２２１ａが段差部２１０ａに当接している状態での照明装置１を示している。
【００６２】
［電源装置］
図１及び図５に示される電源装置３００は、光源１２０を発光させるための電力を生成する電源回路であり、生成した電力を光源１２０に供給する。電源装置３００は、例えば、商用電源等の外部電源からの交流電力を、整流、平滑及び降圧等して所定レベルの直流電力に変換し、電源ケーブル４００を介して当該直流電力を光源１２０に供給する。
【００６３】
電源装置３００は、例えば、回路基板と、回路基板に実装された複数の電子部品と、電子部品が実装された回路基板を収納するための回路ケースとを備える電源ユニットである。
【００６４】
回路基板は、所定形状の金属配線が形成されたプリント配線基板である。回路基板に実装される電子部品は、光源１２０を点灯させるための回路部品であり、例えば、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。なお、電源装置３００には、調光回路や昇圧回路などが組み合わされていてもよい。回路ケースは、例えば、金属製又は絶縁樹脂製の筐体である。
【００６５】
［電源ケーブル］
図１〜図３に示すように、電源ケーブル４００は、光源１２０と電源装置３００とを電気的に接続するための電力線である。具体的には、電源ケーブル４００は、一端が光源１２０と電気的に接続され、他端が電源装置３００と電気的に接続されている。電源ケーブル４００は、光源１２０を発光させるための直流電力を、電源装置３００から光源１２０に供給する。
【００６６】
本実施の形態において、電源ケーブル４００は、一対のリード線と、一対のリード線を収納する保護チューブとによって構成されている。一対のリード線の一方は、高電位側の導電性であり、一対のリード線の他方は、低電位側の導電線である。保護チューブは、一対のリード線を保護する筒状部材であり、絶縁材料によって形成されている。例えば、保護チューブは、弾性変形するゴム製であり、エラストマー等の弾性を有する絶縁樹脂材料によって形成されている。
【００６７】
電源ケーブル４００は、光源１２０から器具本体１１０に設けられた貫通孔を介して器具本体１１０の外部に引き出されて電源装置３００に接続されている。
【００６８】
本実施の形態において、電源ケーブル４００は、器具本体１１０の突出部１１１の突出方向の先端部から引き出されている。具体的には、突出部１１１の放熱フィンに形成された切り欠き部に引っ掛けるようにして屈曲させながら突出部１１１から引き出されている。
【００６９】
さらに、電源ケーブル４００は、突出部１１１の突出方向の先端部から下方に向けて引き出されている。
【００７０】
突出部１１１から引き出された電源ケーブル４００は、保持部材６００によって突出部１１１の先端部に保持されている。保持部材６００は、例えば結束バンドであり、保持部材６００によって電源ケーブル４００を吊り抱えた状態で保持部材６００を突出部１１１の先端部に設けられた貫通孔に通して電源ケーブル４００を囲んで環状に結束することで、電源ケーブル４００を突出部１１１の先端部に保持させることができる。
【００７１】
また、図５に示すように、電源ケーブル４００は、取付バネ５００においても保持部材６０１で保持されている。
【００７２】
保持部材６０１は、例えば結束バンドである。この場合、図５に示すように、電源ケーブル４００が１つの取付バネ５００の上を横切った状態で保持部材６０１を取付バネ５００に設けられた貫通孔に通して電源ケーブル４００を囲んで環状に結束することで、電源ケーブル４００を取付バネ５００に保持させることができる。
【００７３】
このとき、電源ケーブル４００は、ストッパ構造によって灯体部１００の回転が停止した状態において、複数の取付バネ５００のうち、ストッパ構造から回転方向に沿って９０°から１８０°の範囲（図５のβで示す範囲）に存在する取付バネ５００に保持されているとよい。
【００７４】
［取付バネ］
取付バネ５００は、例えば金属板からなる板バネである。取付バネ５００は、枠体部２００の側部に複数設けられている。本実施の形態において、取付バネ５００は、外枠体２１０の側面の外周に沿って等間隔に３つ設けられている。
【００７５】
取付バネ５００は、外枠体２１０（枠体部２００）を天井２の埋込穴２ｂに固定するための取付部材である。具体的には、取付バネ５００の一方の端部を弾性変形させた状態で照明装置１を埋込穴２ｂに挿入し、取付バネ５００が弾性復元することで、外枠体２１０が取付バネ５００の付勢力で天井２に固定される。
【００７６】
［まとめ］
以上、本実施の形態における照明装置１は、天井面２ａ（取付面）に形成された埋込穴２ｂに取り付けられる枠体部２００と、天井面２ａに対する姿勢が変化するように回動可能に枠体部２００に支持された灯体部１００とを備えている。また、灯体部１００は、開口１１０ａを有する凹部が設けられた器具本体１１０と、器具本体１１０の凹部の内部に配置された光源１２０とを有している。そして、器具本体１１０は、当該器具本体１１０の開口１１０ａ側とは反対側の一端部から光源１２０の光軸から離れる方向に突出する突出部１１１を有しており、突出部１１１の突出方向の端部の上部には、切り欠き状の第１傾斜部１１１ａが形成されている。
【００７７】
このように、本実施の形態における照明装置１では、器具本体１１０に突出部１１１を設けている。これにより、器具本体１１０の高さを高くすることなく器具本体１１０の包絡体積を大きくすることができる。したがって、照明装置１の点灯時の放熱効果を高めることができる。
【００７８】
特に、本実施の形態における照明装置１では、照明装置１の放熱効果を高めるために、器具本体１１０の軸方向の長さを長くするのではなく、光源１２０の光軸から離れる方向に突出するように器具本体１１０に突出部１１１を設けている。これにより、照明装置１の光の照射方向を変えた状態であっても照明装置１の埋込み深さを低減させることができるので、使用場所の制約を軽減できる。
【００７９】
しかも、突出部１１１には第１傾斜部１１１ａが形成されている。これにより、図３に示すように、灯体部１００を回動（首振り）させて灯体部１００を傾けた場合であっても、突出部１１１の先端部が照明装置１の高さ方向（Ｚ軸方向）に出っ張ることを一層抑制できる。つまり、突出部１１１に第１傾斜部１１１ａが形成されていないと、図３に示すように灯体部１００を傾けた場合に、図２に示すように灯体部１００を傾けていない場合と比べて、突出部１１１の先端部が照明装置１の高さ方向に大きく出っ張ってしまう。これに対して、本実施の形態のように、突出部１１１に第１傾斜部１１１ａを形成しておくことで、灯体部１００を傾けたときに、突出部１１１の先端部が照明装置１の高さ方向に出っ張ることを抑制できる。このため、照明装置１の光の照射方向を変えた状態での照明装置１の埋込み深さを一層低減させることができる。
【００８０】
さらに、本実施の形態のように、光源１２０の光軸から離れる方向に突出するように突出部１１１を設けることによって、図３に示すように灯体部１００を傾けたときに、突出部１１１が上に向くことになる。これにより、可動状態での灯体部１００の重心を枠体部２００の中心線（筒軸）に近づけることができる。つまり、重量バランスよく灯体部１００の首振り（回動）を行うことができる。これにより、天井の振動等によって照明装置１が埋込穴２ｂから外れてしまうことを抑制できる。
【００８１】
特に、本実施の形態では、突出部１１１に第１傾斜部１１１ａが形成されているので、図３に示すように灯体部１００を傾けたときの重量バランスをより安定化させることができる。
【００８２】
このように、本実施の形態における照明装置１によれば、高さを抑えつつも放熱性を向上させることができる器具本体１１０を実現することができ、かつ、重量バランスよく灯体部１００の首振り（回動）を行うことができる。
【００８３】
また、本実施の形態において、灯体部１００は、器具本体１１０の開口１１０ａを囲むように器具本体１１０の下方側に配置された筒体１３０を有し、筒体１３０の枠体部２００側の端部には、切り欠き状の第２傾斜部１３０ａが形成されている。
【００８４】
このように、筒体１３０に第２傾斜部１３０ａを形成することによって、灯体部１００の姿勢を変えるために灯体部１００を傾けたときに、筒体１３０と枠体部２００（内枠体２２０）との接触を回避できる。これにより、筒体１３０と干渉することなく灯体部１００を回動（揺動）させることができるので、光の照射方向を容易に変更できる構造を実現できる。
【００８５】
また、本実施の形態において、第１傾斜部１１１ａ及び第２傾斜部１３０ａの各々は、天井面２ａに対して傾斜する傾斜面を有し、第１傾斜部１１１ａの傾斜面の傾斜角θ１と第２傾斜部１３０ａの傾斜面の傾斜角θ２とは略同じである。
【００８６】
これにより、灯体部１００を回動させて傾けたときの放熱形状を有効に確保することができるので、灯体部１００を傾けたときに突出部１１１の先端部が照明装置１の高さ方向（Ｚ軸方向）に出っ張ることを一層抑制できる。
【００８７】
また、本実施の形態において、照明装置１は、さらに、光源１２０に電力を供給する電源装置３００と、一端が光源１２０と電気的に接続され、他端が電源装置３００と電気的に接続された電源ケーブル４００とを備えている。そして、灯体部１００は、天井面２ａに垂直な方向を回転軸として回転可能に構成され、突出部１１１は、断面視において器具本体１１０の開口１１０ａからはみ出す位置まで突出し、電源ケーブル４００は、突出部１１１の突出方向の先端部から引き出されている。
【００８８】
これにより、灯体部１００を水平回転させたときに、電源ケーブル４００が突出部１１１の下を通りやすくなるので、灯体部１００の水平回転に合わせて電源ケーブル４００を器具本体１１０に巻きつく状態にすることができる。これにより、電源ケーブル４００が、取付バネ５００等の周辺部品に引っ掛かることを抑制できる。
【００８９】
また、本実施の形態において、電源ケーブル４００は、突出部１１１の突出方向の先端部から下方に向けて引き出されている。
【００９０】
これにより、灯体部１００を水平回転させたときに、電源ケーブル４００が必ず突出部１１１の下を通ることになるので、電源ケーブル４００が器具本体１１０に必ず巻きつく状態となる。これにより、電源ケーブル４００が取付バネ５００等の周辺部品に引っ掛かることを一層抑制できる。
【００９１】
また、本実施の形態において、照明装置１は、さらに、枠体部２００の側部に設けられた複数の取付バネ５００を備えている。そして、枠体部２００は、灯体部１００の回転を停止させるためのストッパ構造を有しており、電源ケーブル４００は、このストッパ構造によって灯体部１００の回転が停止した状態において、複数の取付バネ５００のうちのストッパ構造から回転方向に沿って９０°から１８０°の範囲に存在する取付バネ５００に保持されている。
【００９２】
これにより、水平回転するときの灯体部１００の広い可動範囲（例えば０〜３５５°）を確保しつつ、突出部１１１から取付バネ５００に保持された部分までの電源ケーブル４００の長さを極力短くできる。したがって、灯体部１００を水平回転させたときに電源ケーブル４００のたるみ等によって、電源ケーブル４００が取付バネ５００等の周辺部品に引っ掛かることを抑制できる。
【００９３】
（変形例等）
以上、本発明に係る照明装置について、実施の形態に基づいて説明したが、本発明は、上記実施の形態に限定されない。
【００９４】
例えば、上記実施の形態において、第１傾斜部１１１ａの傾斜面は、断面視において直線状の形状としたが、これに限らず、断面視において、湾曲線又は階段状等の形状であってもよい。
【００９５】
また、上記実施の形態において、光源１２０は、青色ＬＥＤチップと黄色蛍光体とによって白色光を放出するように構成したが、これに限らない。例えば、赤色蛍光体及び緑色蛍光体を含有する蛍光体含有樹脂を用いて、この蛍光体含有樹脂と青色ＬＥＤチップとを組み合わせることで白色光を放出するように構成しても構わない。
【００９６】
また、上記実施の形態において、ＬＥＤとして、青色ＬＥＤチップを用いたが、これに限らない。例えば、ＬＥＤとしては、青色以外の色の光を発光するものや、紫外光を発するものを用いてもよい。この場合、蛍光体としては、ＬＥＤが発する光の波長又は光源１２０の出射光の色に応じて適宜選択すればよい。
【００９７】
また、上記実施の形態において、光源１２０は、基板上にＬＥＤチップを直接実装したＣＯＢ構造のＬＥＤモジュールとしたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤ型ＬＥＤ素子）を用いて、これを１個又は複数個、基板に実装した構成である。
【００９８】
また、上記実施の形態では、光源１２０にＬＥＤを用いたが、これに限らない。例えば、光源１２０に、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いてもよいし、蛍光ランプや高輝度ランプ等の既存のランプを用いてもよい。
【００９９】
また、上記実施の形態における照明装置は、天井以外の被取付部に設置されていてもよい。
【０１００】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１０１】
１  照明装置
２ａ  天井面（取付面）
２ｂ  埋込穴
１００  灯体部
１１０  器具本体
１１０ａ  開口
１１１  突出部
１１１ａ  第１傾斜部
１２０  光源
１３０  筒体
１３０ａ  第２傾斜部
２００  枠体部
２１０ａ  段差部（ストッパ）
２２１ａ  突起部（ストッパ）
２２２  第２内枠
３００  電源装置
４００  電源ケーブル
５００  取付バネ
【図１】
0006650621.tif 000002
【図２】
0006650621.tif 000003
【図３】
0006650621.tif 000004
【図４】
0006650621.tif 000005
【図５】
0006650621.tif 000006